(57)【要約】      （修正有）【課題】  こじり力によるシェルの変形を防止すること。【解決手段】  相手側コネクタの相手側嵌合部と嵌合する導電性のシェル３１嵌合部３３を含み、該シェル３１嵌合部３３内には、前記相手側コネクタがこじられた際に荷重を受けるための受部４１が設けられている。一対の受け部４１は金属材又は樹脂材によって作られており、帯板形状の平板部４１ａと嵌合側の先端部が少し曲げられている係止部４１ｂを有している。係止部４１ｂは、曲部３５ｐに形成されている係止穴３５ｓに係止されて嵌合側から後方に延びており、後方端がハウジング２１に圧入することによって固定される。したがって、受け部４１はシェル嵌合部３３に相手側コネクタが嵌合し、こじり力によってこじられた際に加重を受けるためのキープレートとしての役目を果たす。【選択図】  図１
2006216282.tif 000002
【特許請求の範囲】
【請求項１】
相手側コネクタの相手側嵌合部と嵌合する導電性のシェル嵌合部を含むコネクタにおいて、前記シェル嵌合部内には、前記相手側コネクタがこじられた際に荷重を受けるための受部を設けたことを特徴とするコネクタ。
【請求項２】
請求項１記載のコネクタにおいて、導電性のコンタクトを保持するハウジングを有し、前記受部は平板状でありかつ一端が前記ハウジングに固定されており、もう一端が前記シェルに係止されていることを特徴とするコネクタ。
【請求項３】
請求項１記載のコネクタにおいて、導電性のコンタクトを保持するハウジングを有し、前記受部は前記ハウジングと一体になっていることを特徴とするコネクタ。
【請求項４】
請求項１記載のコネクタにおいて、前記受部は前記シェルと一体になっていることを特徴とするコネクタ。
【発明の詳細な説明】
【技術分野】
【０００１】
本発明は、相手側コネクタの相手側嵌合部と嵌合するシェルを備えているコネクタに関する。
【背景技術】
【０００２】
従来のコネクタには、相手側コネクタの導電性の相手側シェルと嵌合する導電性のシェルを備えているものがある。シェルは、筒状のシェル嵌合部を有している。シェルは、薄い金属板をプレスによって打ち抜き、曲げ加工を施して作られているプレス部品である。シェル嵌合部は、相手側シェルの相手側シェル嵌合部を嵌合し、シェル嵌合部と相手側シェル嵌合部とが接触することにより導通される（例えば、特許文献１を参照）。
【０００３】
【特許文献１】特開平９−２５９９８１号公報
【発明の開示】
【発明が解決しようとする課題】
【０００４】
従来のコネクタは、シェル嵌合部と相手側シェル嵌合部とを嵌合することによって接触させる際に、強くねじりながら嵌合するような、こじり力をシェル嵌合部のみで受けることになるため、コネクタと相手側コネクタの相手側シェル嵌合部とがともに変形してしまうという問題がある。
【０００５】
それ故に、本発明の課題は、コネクタと相手側コネクタとの変形を防止することができるコネクタを提供することにある。
【課題を解決するための手段】
【０００６】
本発明は、相手側コネクタの相手側嵌合部と嵌合する導電性のシェル嵌合部を含むコネクタにおいて、前記シェル嵌合部内には、前記相手側コネクタがこじられた際に荷重を受けるための受部を設けたことを特徴とするコネクタであることを最も主要な特徴とする。
【発明の効果】
【０００７】
本発明のコネクタによれば、コネクタと相手側コネクタとを嵌合する際に、こじりによってかかるこじり力を受ける受部を設けたことによって、コネクタと相手側コネクタとのこじり力を受部よって受けることができるのでこじりによるシェルの変形を防止することができる。
【０００８】
また、受部の係止部は、シェルの係止穴に係止することによりシェルのみで決められていたシェル嵌合部が受部及びシェルによって決められるので、シェルと相手側シェルとの接触が安定し、受部を設けることによって強度が向上するという利点がある。
【発明を実施するための最良の形態】
【０００９】
本発明に係るコネクタは、相手側コネクタの相手側嵌合部と嵌合する導電性のシェル嵌合部を含むコネクタにおいて、前記シェル嵌合部内には、前記相手側コネクタがこじられた際に荷重を受けるための受部を設けたことにより実現した。
【実施例１】
【００１０】
図１乃至図６は、本発明に係るコネクタの実施例１を示している。図１乃至図６を参照して、コネクタ１は、導電性のコンタクト１１と、複数のコンタクト１１を保持している絶縁性のハウジング２１と、導電性のシェル３１と、ハウジング２１に固定されている一対の受部４１とを有している。
【００１１】
ハウジング２１は、シェル３１を保持している保持部２３と、保持部２３の両側のそれぞれから長手方向へ延設されている一対のブロック部２５と、ブロック部２５のそれぞれから長手方向へ延設されている一対の固定部２７とを有している。
【００１２】
固定部２７は、プリント回路基板のような基板にコネクタ１を実装したときに、ボルトなどの固定具によって基板にコネクタ１を固定する部分である。
【００１３】
シェル３１を保持している保持部２３は、長手方向に長い寸法の主板部２５ａと、主板部２５ａの長手方向の両端に接続して相対向している一対の壁部２５ｃとを有している。
【００１４】
シェル３１は、主板部２５ａと一対の壁部２５ｃによって囲まれている空間に位置してハウジング２１に保持されている略扁平かつ筒状のシェル嵌合部３３を有している。シェル嵌合部３３は、主板部２５ａの内面に対向している第１シェル板部３３ａと、第１シェル板部３３ａに対して略平行に間隔をもって対向している第２シェル板部３３ｂと、第１及び第２シェル板部３３ａ，３３ｂの長手方向の両端に接続している一対のシェル側板部３３ｃとを有している。
【００１５】
シェル３１には、第１シェル板部３３ａの嵌合側の開口端から保持部２３の主板部２５ａの端面２５ｊに形成されている凹部２５ｍに対向するように曲げられている第１誘い部３５ｃと、第２シェル板部３３ｂの嵌合側の開口端から外向きに曲げられている第２誘い部３５ｅと、保持部２３の一方の壁部２５ｃに対向するように曲げられている第３誘い部３５ｆとを有している。
【００１６】
さらに、図７及び図８にも示すように、シェル３１には、第２シェル板部３３ｂの嵌合側にかつ第２誘い部３５ｅの長手方向の両側に第２誘い部３５ｅとは逆向きに曲げられている一対の曲部３５ｐが形成されている。
【００１７】
一対の受部４１は、金属材又は樹脂材によって作られており、帯板形状の平板部４１ａと嵌合側の先端部が少し曲げられている係止部４１ｂを有している。係止部４１ｂは、曲部３５ｐに形成されている係止穴３５ｓに係止されて嵌合側から後方端へ延びており、後方端がハウジング２１に圧入することによって固定されている。  一対のブロック部２５の底面には、図示しない基板に挿入される一対のピン部２５ａ，２５ｂが底面から外へ延出されている。シェル３１のシェル嵌合部３３は、図示しない相手側コネクタの相手側嵌合部と嵌合する。
【００１８】
受部４１は、シェル嵌合部３３内に相手側コネクタが嵌合し、こじり力によってこじられた際に荷重を受けるためのキープレートとしての役目を果たす。
【実施例２】
【００１９】
図９乃至図１４は、コネクタの実施例２を示している。なお、実施例２におけるコネクタ１０１は、実施例１によって説明したコネクタ１と若干形状が異なっているが、実施例１と同じ機能をもつ部分には、同じ符号を付して説明する。
【００２０】
図９乃至図１４を参照して、コネクタ１０１は、導電性のコンタクト１１と、複数のコンタクト１１を保持している絶縁性のハウジング２１と、導電性のシェル３１と、ハウジング２１と一体に形成されている受部１４１とを有している。
【００２１】
ハウジング２１は、シェル３１を保持している保持部２３と、保持部２３の両側のそれぞれから長手方向へ延設されている一対のブロック部２５と、ブロック部２５のそれぞれから長手方向へ延設されている一対の固定部２７とを有している。
【００２２】
シェル３１を保持している保持部２３は、長手方向に長い寸法の主板部２５ａと、主板部２５ａの長手方向の両端に接続して相対向している一対の壁部２５ｃとを有している。
【００２３】
シェル３１は、主板部２５ａと一対の壁部２５ｃによって囲まれている空間に位置してハウジング２１に保持されている略扁平な筒状のシェル嵌合部３３を有している。シェル嵌合部３３は、主板部２５ａの内面に対向している第１シェル板部３３ａと、第１シェル板部３３ａに対して略平行に間隔をもって対向している第２シェル板部３３ｂと、第１及び第２シェル板部３３ａ，３３ｂの長手方向の両端に接続している一対のシェル側板部３３ｃとを有している。
【００２４】
シェル３１には、第１シェル板部３３ａの嵌合側の開口端から保持部２３の主板部２５ａの端面２５ｊに対向するように曲げられている第１誘い部３５ｃと、第２シェル板部３３ｂの嵌合側の開口端から外向きに曲げられている第２誘い部３５ｅと，シェル３１には、第１シェル板部３３ａの嵌合側の開口端から保持部２３の主板部２５ａの端面２５ｊに形成されている凹部２５ｍに対向するように曲げられている第１誘い部３５ｃと、第２シェル板部３３ｂの嵌合側の開口端から外向きに曲げられている第２誘い部３５ｅと、保持部２３の一方の壁部２５ｃに対向するように曲げられている第３誘い部３５ｆとを有している。
【００２５】
さらに、図１５及び図１６にも示すように、受部１４１は、樹脂材によって作られており、ハウジング２１と一体にモールド成型によって形成されている。シェル嵌合部３３は、図示しない相手側コネクタの相手側嵌合部と嵌合する。受部１４１は、シェル嵌合部３３内に相手側コネクタが嵌合し、こじり力によってこじられた際に荷重を受けるためのキープレートとしての役目を果たす。
【実施例３】
【００２６】
図１７乃至図２２は、コネクタの実施例３を示している。なお、実施例３のコネクタ２０１において、実施例１と同じ機能をもつ部分には、同じ符号を付して説明を省略する。
【００２７】
図１７乃至図２２を参照して、シェル２３１は、主板部２５ａと一対の壁部２５ｃによって囲まれている空間に位置してハウジング２１に保持されている略扁平な筒状のシェル嵌合部３３を有している。
【００２８】
シェル嵌合部３３は、主板部２５ａの内面に対向している第１シェル板部３３ａと、第１シェル板部３３ａに対して略平行に間隔をもって対向している第２シェル板部３３ｂと、第１及び第２シェル板部３３ａ，３３ｂの長手方向の両端に接続している一対のシェル側板部３３ｃとを有している。
【００２９】
シェル２３１には、第１シェル板部３３ａの嵌合側の開口端から保持部２３の主板部２５ａの端面２５ｊに対向するように曲げられている第１誘い部３５ｃと、第２シェル板部３３ｂの嵌合側の開口端から外向きに曲げられている第２誘い部３５ｅと、保持部２３の一方の壁部２５ｃへ曲げられている第３誘い部３５ｆとを有している。
【００３０】
受部２４１は、シェル３１と同じ金属材によって作られており、シェル２３１と一体な部分である。図２３及び図２４にも示したように、シェル３１には、受部２４１が第２シェル板部３３ｂをシェル嵌合部３３内へ切り起こすことによってして形成されている。
【００３１】
シェル嵌合部３３は、図示しない相手側コネクタの相手側嵌合部と嵌合する。受部２４１は、シェル嵌合部３３内に相手側コネクタが嵌合し、こじり力によってこじられた際に荷重を受けるためのキープレートとしての役目を果たす。
【産業上の利用可能性】
【００３２】
コネクタは携帯電話用端末、小型情報端末機などのコネクタとしての用途にも適用できる。
【図面の簡単な説明】
【００３３】
【図１】本発明に係るコネクタの実施例１を示す斜視図である。
【図２】図１に示したコネクタの正面図である。
【図３】図２に示したコネクタをIII-III線で拡大して示した断面図である。
【図４】図２に示したコネクタの右側面図である。
【図５】図２に示したコネクタの平面図である。
【図６】図２に示したコネクタの低面図である。
【図７】図１に示したコネクタの受部を含む近傍部分を拡大して示した斜視図である。
【図８】図２に示したコネクタの受部を含む近傍部分を拡大して示した正面図である。
【図９】本発明に係るコネクタの実施例２を示す斜視図である。
【図１０】図１に示したコネクタの正面図である。
【図１１】図１０に示したコネクタをXI-XI線で拡大して示した断面図である。
【図１２】図１０に示したコネクタの右側面図である。
【図１３】図１０に示したコネクタの平面図である。
【図１４】図１０に示したコネクタの低面図である。
【図１５】図９に示したコネクタの受部を含む近傍部分を拡大して示した斜視図である。
【図１６】図１０に示したコネクタの受部を含む近傍部分を拡大して示した正面図である。
【図１７】本発明に係るコネクタの実施例３を示す斜視図である。
【図１８】図１７に示したコネクタの正面図である。
【図１９】図１８に示したコネクタをXIX-XIX線で拡大して示した断面図である。
【図２０】図１８に示したコネクタの右側面図である。
【図２１】図１８に示したコネクタの平面図である。
【図２２】図１８に示したコネクタの低面図である。
【図２３】図１７に示したコネクタの受部を含む近傍部分を拡大して示した斜視図である。
【図２４】図１８に示したコネクタの受部を含む近傍部分を拡大して示した正面図である。
【符号の説明】
【００３４】
１，１０１，２０１    コネクタ
１１    コンタクト
２１    ハウジング
３１，２３１    シェル
３３    シェル嵌合部
３５ｓ    係止穴
４１，１４１，２４１    受部
４１ｂ    係止部
【図１】
2006216282.tif 000003
【図２】
2006216282.tif 000004
【図３】
2006216282.tif 000005
【図４】
2006216282.tif 000006
【図５】
2006216282.tif 000007
【図６】
2006216282.tif 000008
【図７】
2006216282.tif 000009
【図８】
2006216282.tif 000010
【図９】
2006216282.tif 000011
【図１０】
2006216282.tif 000012
【図１１】
2006216282.tif 000013
【図１２】
2006216282.tif 000014
【図１３】
2006216282.tif 000015
【図１４】
2006216282.tif 000016
【図１５】
2006216282.tif 000017
【図１６】
2006216282.tif 000018
【図１７】
2006216282.tif 000019
【図１８】
2006216282.tif 000020
【図１９】
2006216282.tif 000021
【図２０】
2006216282.tif 000022
【図２１】
2006216282.tif 000023
【図２２】
2006216282.tif 000024
【図２３】
2006216282.tif 000025
【図２４】
2006216282.tif 000026